(57)【要約】【課題】映像投射ユニットから出射された映像光をミラーで反射して透過型スクリーンに背面側から投射するようにしたリアプロジェクションディスプレイ装置において、ミラーを保持するための部品コストや金型コストの削減、部品点数や組立作業工数の削減、さらにはミラー取り付け精度やミラーの保持強度の向上を図る。【解決手段】透過型スクリーン７の背面側を覆うバックカバー５の内面にミラー８が四辺で保持される構造において、ミラー８の上辺を、バックカバー５に固定される別部品のミラーホルダー１２によって保持すると共に、ミラー８の下辺及び左右の側辺を、バックカバー５と一体に成形される保持片１３及び１４によって保持する構造とする。【選択図】図３
2007322711.tif 000002
【特許請求の範囲】
【請求項１】
映像投射ユニットから出射された映像光をミラーで反射して透過型スクリーンに背面側から投射するようにしたリアプロジェクションディスプレイ装置において、
上記透過型スクリーンの背面側を覆うバックカバーの内面に上記ミラーが四辺で保持される構造を有し、
ここで上記ミラーの上辺は、上記バックカバーに固定される別部品のミラーホルダーによって保持され、上記ミラーの下辺及び左右の側辺は、上記バックカバーと一体に成形される保持片によって保持される構造としたことを特徴とするリアプロジェクションディスプレイ装置。
【請求項２】
上記ミラーの側辺を保持する保持片は、通常時には上記ミラーと非接触状態で、上記ミラーに歪みが生じた場合に上記ミラーと接触してこれを保持する構造であることを特徴とする請求項１に記載のリアプロジェクションディスプレイ装置。
【請求項３】
上記バックカバーにおいて、上記ミラーの側辺を保持する保持片が形成される部分を、面取り状に凹ませて形成したことを特徴とする請求項１に記載のリアプロジェクションディスプレイ装置。
【発明の詳細な説明】
【技術分野】
【０００１】
本発明は、映像投射ユニットから出射された映像光をミラーで反射して透過型スクリーンに背面側から投射するようにしたリアプロジェクションディスプレイ装置に関し、特にこのリアプロジェクションディスプレイ装置におけるミラーの保持構造に係るものである。
【背景技術】
【０００２】
従来、映像表示装置の一種として、リアプロジェクションディスプレイ装置が実用化されている。即ちこのリアプロジェクションディスプレイ装置は、例えば特許文献１に開示されるもののように、装置本体の正面に透過型のスクリーンが設けられると共に、装置本体の下部に映像投射ユニットが配置されてなり、この映像投射ユニットから出射される映像光をミラーで反射して透過型スクリーンに背面側から投射する構造となっている。
【０００３】
この構成において映像光を反射するミラーは、例えば特許文献２にも示されるように、スクリーンの背面側を覆うバックカバーの内面に保持されている。この場合ミラーは、バックカバーに四辺が保持される構造を有し、従来はミラーの下辺をバックカバーと一体に成形される保持部で保持すると共に、ミラーの上辺及び左右の側辺をバックカバーにビス止めされる別部品のミラーホルダーで保持するようにした構成が一般的であった。
【特許文献１】特開平５−３１３２４９号公報
【特許文献２】特開平９−９１８５号公報
【発明の開示】
【発明が解決しようとする課題】
【０００４】
しかしながら、上記のようなミラーの保持構造では、ミラーを保持するための別部品であるミラーホルダーの部品代やその取り付けのためのビス代が多くかかるため、部品コストが高く、またミラーホルダーを成形するための金型の製作にも多くの費用を要するので、金型コストも高くつくという問題点があった。
またミラーホルダーやビスの部品点数が多いため、ミラーホルダーの組み付けやビス止めのための作業工数も多く必要とし、さらにはバックカバーとミラーホルダーとの間で取り付け誤差が発生するためミラーの取り付け精度が悪化しやすく、また別部品のミラーホルダーの取り付けのためミラー保持部の強度が充分に確保できないので、ミラーに割れが生じるおそれがあるなど、多くの問題点を抱えていた。
本発明はこのような問題点を解消することを目的としてなされたものである。
【課題を解決するための手段】
【０００５】
上記の目的を達成するため本発明は、
映像投射ユニットから出射された映像光をミラーで反射して透過型スクリーンに背面側から投射するようにしたリアプロジェクションディスプレイ装置において、
透過型スクリーンの背面側を覆うバックカバーの内面にミラーが四辺で保持される構造を有し、
ここでミラーの上辺は、バックカバーに固定される別部品のミラーホルダーによって保持され、ミラーの下辺及び左右の側辺は、バックカバーと一体に成形される保持片によって保持される構造としたことを特徴とするものである。
【発明の効果】
【０００６】
上記構成としたことにより本発明のリアプロジェクション装置は、従来に比べて次のような効果が期待できる。即ち本発明のリアプロジェクション装置では、ミラーの左右の側辺を、バックカバーと一体に成形される保持片によって保持する構造としたことにより、従来用いられていた左右のミラーホルダーが不要となるので、その分の部品代や取り付けのためのビス代が不要となり、部品コストを削減することができ、また左右のミラーホルダーを成形するための金型の製作も不要となるので、金型コストも削減することができる。
また左右のミラーホルダーやビスの部品点数を削減できるため、左右のミラーホルダーの組み付けやビス止めのための作業工数も削減することができる。さらに、ミラーの左右の側辺の保持部をバックカバーと一体に成形したことでミラーの取り付け精度が向上し、また一体成形によりミラー保持部の強度が充分に確保されるので、ミラー割れのリスクを低減させることができる。
【発明を実施するための最良の形態】
【０００７】
以下、図面を参照しながら本発明の好適な実施例について詳細に説明する。
図１は、本発明が適用されるリアプロジェクションディスプレイ装置の全体構成を示す縦断側面図である。
このリアプロジェクションディスプレイ装置１は、基台２と、この基台２に支持される筐体３とを構造体として構成される。筐体３は、透過型スクリーン７が垂直に保持される正面のフロントベズル４と、透過型スクリーン７の背面側を覆うバックカバー５とで構成されており、このバックカバー５の傾斜背面部５ａの内面側にミラー８が傾斜姿勢で保持されている。そして基台２上には映像投射ユニット９が設置されており、この映像投射ユニット９から出射された映像光Ｌがバックカバー５の通光穴６を通して筐体３内に入射し、そこでこの映像光Ｌがミラー８で反射されて、透過型スクリーン７に背面側から投射される構造となっている。映像投射ユニット９は下部バックカバー５ｄによって覆われている。
【０００８】
本発明は、このようなリアプロジェクションディスプレイ装置１におけるミラー８の保持構造に係るものである。
図２はバックカバー５の内側を正面から見た図、図３はこのバックカバー５の内側にミラー８を取り付けた状態を示す図である。ここでミラー８は、ガラス板の表面に蒸着によって反射膜を形成したものであり、全体として逆台形状に形成されている。そしてこのミラー８は、その四辺でバックカバー５に保持される構造を有し、ここでミラー８の上辺は、バックカバー８にビス止めして固定される別部品のミラーホルダー１２によって保持され、ミラー８の下辺及び左右の側辺は、バックカバー５と一体に成形されるフック状の保持片１３及び１４によって夫々保持される構造としてある。
【０００９】
この構成においてミラー８は逆台形状に形成されているため、これをバックカバー５に取り付ける際には、規定の取り付け位置よりもやや上方の位置から差し込むようにして簡単に保持片１３及び１４に保持させることができる。そして、このようにしてミラー８を保持片１３及び１４に保持させた状態で、最後にミラーホルダー１２をビス１０によってバックカバー５の固定部１１に固定することにより、ミラー８はバックカバー５から脱落することなく規定の位置に確実に取り付けられるものである。
【００１０】
なお、ここでミラーホルダー１２及び保持片１３，１４によって保持されるミラー８の四辺には、ＨＤＰＥ等の滑性の良好な樹脂で成形された保護フレーム１５が嵌着されており、これによってミラーホルダー１２及び保持片１３，１４との間の摩擦を低減して保持片１３，１４の樹脂の削粉の発生を防止するようにしている。
【００１１】
上記の如くしてバックカバー５に取り付けられるミラー８の各辺の保持構造を図４〜図６で詳細に示す。
図４は、ミラー８の上辺の保持部の構造を示す縦断面図である。ここでは、バックカバー５にビス１０で固定される樹脂製のミラーホルダー１２によってミラー８の上辺を保持する構造としている。このミラーホルダー１２は、ミラー８の上辺部を挟み込むように保持する形状を有し、ミラー８との間には２ｍｍ程度の僅かな遊び(クリアランス)があり、そこでミラー８が自重によってミラーホルダー１２に押し当てられるようにして固定保持される構造となっている。
【００１２】
図５は、ミラー８の下辺の保持部の構造を示す縦断面図である。ここでは、樹脂製のバックカバー５の内面側から斜め上向きに突出するようにフック状の保持片１３がバックカバー５と一体に成形されており、本例ではこの保持片１３の内側に連続して形成されたリブ１３ａの凹部１３ｂ内でミラーの下辺が保持されるようになっている。この構成においてミラー８と凹部１３ｂの間には２ｍｍ程度の僅かな遊びがあり、そこでミラー８が自重によってリブ１３ａに押し当てられるようにして固定保持される構造としている。
【００１３】
図６は、ミラー８の側辺の保持部の構造を示す横断面図である。なお、この図６では、ミラー８の左側の側辺の保持部のみを図示してあるが、右側の側辺の保持部もこれと同様の対称形状に形成されるものである。ここでは、樹脂製のバックカバー５の内面側から横向きに突出するようにフック状の保持片１４がバックカバー５と一体に成形されており、本例ではこの保持片１４と、この保持片１４と対応して形成されたリブ１４ａとの間に挟まれる状態でミラー８の側辺が保持される。この構成においてミラー８と保持片１４及びリブ１４ａの間には２ｍｍ程度の僅かな遊びがあり、そこでミラー８は、通常時には保持片１４及びリブ１４ａに接触しない状態で保持される構造となっている。
【００１４】
上記の如きミラーの保持構造を有するバックカバー５は、図７に示すようなスライド型を備えた金型で成形される。即ちこの金型は、バックカバー５の本体部分を成形するキャビティ型１７とコア型１８に加えて、キャビティ型１７とコア型１８の開き方向(Ｙ方向)と直交する方向(Ｘ方向)に移動して開くスライド型１９を備えており、このスライド型１９とコア型１８との間で保持片１４を成形する構造となっている。なお、この図７では、ミラー８の左側の側辺を保持する保持片１４の成形部分を図示してあるが、右側の側辺を保持する保持片１４及び下辺を保持する保持片１３もこれと同様の金型構造で成形されるものである。
このようなスライド型を備えた金型を用いることにより、簡単に保持片１３及び１４をバックカバー５に一体成形することができる。
なお、図7においてはコア型１８とスライド型１９とは模式的に示されているが、実際の構造は周知のコアスライド技術によるものであることは言うまでもない。
【００１５】
そして、以上のようなミラーの保持構造を採用したことにより本例のリアプロジェクション装置１は、従来に比べて次のような効果が期待できる。
即ち、前述した如く従来のリアプロジェクションディスプレイ装置においては、ミラーの左右の側辺を別部品のミラーホルダーで保持するようにしていたが、本例のリアプロジェクション装置１では、ミラー８の左右の側辺を、バックカバー５と一体に成形される保持片１４によって保持する構造としたことにより、従来用いられていた左右のミラーホルダーが不要となるので、その分の部品代や取り付けのためのビス代が不要となり、部品コストを削減することができ、また左右のミラーホルダーを成形するための金型の製作も不要となるので、金型コストも削減することができる。
【００１６】
また左右のミラーホルダーやビスの部品点数を削減できるため、左右のミラーホルダーの組み付けやビス止めのための作業工数も削減することができる。
さらに、ミラー８の左右の側辺の保持部をバックカバー５と一体に成形したことでミラー８の取り付け精度が向上し、また一体成形によりミラー保持部の強度が充分に確保されるので、ミラー８に割れが生じるリスクを低減させることができる。
【００１７】
また特に本例の構成では、図６に示す如く、ミラー８の左右の側辺を保持する保持片１４は、通常時にはミラー８と非接触状態にあり、ミラー８に歪みが生じた場合にミラー８と接触してこれを保持する構造となっている。
【００１８】
このような構造としたことにより本例のリアプロジェクションディスプレイ装置では、通常時にはミラー８は上辺と下辺の二辺で保持されるので、ガタが生じることなく安定した状態で取り付けられ、輸送途中の衝撃等でミラー８に歪みが生じたときには、ミラー８は四辺でしっかりと保持されるので、脱落のおそれがなく確実に取り付けられる効果がある。
【００１９】
さらに本例の構成では図８に示す如く、バックカバー５において、ミラー８の左右の側辺を保持する保持片１４が形成される部分(本例ではバックカバー５の背面部５ａと側面部５ｂとの間の角部分)を、面取り状に凹ませた凹み部５ｃとしてある。
【００２０】
このような構成としたことにより、リアプロジェクションディスプレイ装置の製造工程において多数のバックカバー５を積み重ねた状態でストックしておく場合、バックカバー５の凹み部５ｃがその上に重なったバックカバー５の保持片１４に対する逃げ部となるので、保持片１４がバックカバー５に当たることはなく、これによって保持片１５の破損を効果的に防止することができる。
【００２１】
以上、本発明の実施例について説明したが、本発明はこの実施例の構成に限定されることなく、他にも種々の実施形態を採り得るものであることは言うまでもない。
【図面の簡単な説明】
【００２２】
【図１】本発明が適用されるリアプロジェクションディスプレイ装置の全体構成を示す縦断側面図である。
【図２】バックカバーの内側を正面から見た図である。
【図３】バックカバーの内側にミラーを取り付けた状態を示す図である。
【図４】ミラーの上辺の保持部の構造を示す縦断面図である。
【図５】ミラーの下辺の保持部の構造を示す縦断面図である。
【図６】ミラーの側辺の保持部の構造を示す横断面図である。
【図７】バックカバーを成形する金型の構造を示す図である。
【図８】バックカバーの形状を示す横断面図である。
【符号の説明】
【００２３】
１…リアプロジェクションディスプレイ装置、５…バックカバー、５ｃ…凹み部、７…透過型スクリーン、８…ミラー、９…映像投射ユニット、１２…ミラーホルダー、１３…保持片(下辺側)、１４…保持片(側辺側)
【図１】
2007322711.tif 000003
【図２】
2007322711.tif 000004
【図３】
2007322711.tif 000005
【図４】
2007322711.tif 000006
【図５】
2007322711.tif 000007
【図６】
2007322711.tif 000008
【図７】
2007322711.tif 000009
【図８】
2007322711.tif 000010
【手続補正書】
【提出日】平成19年6月25日(2007.6.25)
【手続補正１】
【補正対象書類名】明細書
【補正対象項目名】０００８
【補正方法】変更
【補正の内容】
【０００８】
本発明は、このようなリアプロジェクションディスプレイ装置１におけるミラー８の保持構造に係るものである。
図２はバックカバー５の内側を正面から見た図、図３はこのバックカバー５の内側にミラー８を取り付けた状態を示す図である。ここでミラー８は、ガラス板の表面に蒸着によって反射膜を形成したものであり、全体として逆台形状に形成されている。そして、このミラー８は、その四辺でバックカバー５に保持される構造を有し、ここでミラー８の上辺は、バックカバー５にビス１０止めして固定される別部品のミラーホルダー１２によって保持され、ミラー８の下辺及び左右の側辺は、バックカバー５と一体に成形されるフック状の保持片１３及び１４によって夫々保持される構造としてある。
【手続補正２】
【補正対象書類名】明細書
【補正対象項目名】００１０
【補正方法】変更
【補正の内容】
【００１０】
なお、ここでミラーホルダー１２及び保持片１３，１４によって保持されるミラー８の四辺には、ＨＤＰＥ等の滑性の良好な樹脂で成形された保護フレーム１５が嵌着されており、これによってミラーホルダー１２及び保持片１３，１４との間の摩擦を低減してミラーホルダー１２及び保持片１３，１４の樹脂の削粉の発生を防止するようにしている。
【手続補正３】
【補正対象書類名】明細書
【補正対象項目名】００２０
【補正方法】変更
【補正の内容】
【００２０】
このような構成としたことにより、リアプロジェクションディスプレイ装置の製造工程において多数のバックカバー５を積み重ねた状態でストックしておく場合、バックカバー５の凹み部５ｃがその上に重なったバックカバー５の保持片１４に対する逃げ部となるので、保持片１４がバックカバー５に当たることはなく、これによって保持片１４の破損を効果的に防止することができる。